(57)【要約】【課題】迅速な折畳収合ができ同時に携帯及び収納の便利な構造設計を指し、一般の戸外バーベキューレジャー活動に従事する時、更に実用的で便利な効果を提供すること。【解決手段】台座１０・上枠構造２０・灰落箱３０・火床４０及び網枠５０等の部材を組合せて構成したものを含む。その中で、台座１０は２個の相対する外側板・外蓋板及び箱体を結合して構成し、且つ台座１０の位置決め孔と外側板及び外蓋板の円形凸状粒の相互嵌合により、その外側板及び外蓋板は箱体上に折畳収合の機能を形成する。また上枠構造２０は２個の相対する内蓋板・内側板及び枠フレームを結合して構成し、内蓋板及び内側の円形凸状粒と枠フレームの数個の位置決め孔間での相互嵌合により、内蓋板及び内側板もまた枠フレーム上に折畳収合の機能を形成する。【選択図】　図１
0003098524.tif 000002
【実用新案登録請求の範囲】
【請求項１】
台座・上枠構造・灰落箱・火床及び網枠を組合せたものを含み、以下の構成からなることを特徴とする一種の折畳式バーベキュー炉。
台座は２個の相対する外側板・外蓋板及び箱体を結合して構成する。その中で、外側板の本体には若干の通し孔を排列設置し、外側板の側辺には相対応する側翼を有する構造を形成して、それぞれ側翼表面内側の適当な箇所に円形凸状粒を設置する；外蓋板の本体表面に若干の通し孔を排列設置し、外蓋板の側辺には相対応する凸耳を有する構造を形成して、それぞれ凸耳表面上に円形凸状粒を設置する；また、箱体の４隅には、それぞれ上述の外側板及び外蓋板の円形凸状粒に対応する関係位置と数量の位置決め孔を設ける。これにより、数個の位置決め孔自体は外側板及び外蓋板の円形凸状粒と相互に嵌合して、外側板及び外蓋板に箱体上で折畳収合の機能を形成させる。
上枠構造は２個の相対する内蓋板・内側板及び枠フレームを結合して構成する。その中で、内蓋板の本体内側表面の適当な箇所に２個のストッパーブロック及び１個の突片を設ける。側辺端面には相対応する凸耳を有する構造を形成し、それぞれ凸耳上に円形凸状粒を設置する；一方内側板の本体内側表面の適当な箇所に１個の突片を設け、側辺端面に相対する凸耳構造を形成し、それぞれ凸耳上に円形凸状粒を設置する；また、枠フレーム　（同枠フレームもまた適切な鉄線材或は管材で代用使用可能）の本体の適当な箇所に、それぞれ上述の内蓋板及び内側板の円形凸状粒の関係位置・数量に対応して、同数量及び相互に対応する数の位置決め孔を設置する。これにより、数個の位置決め孔自体は内蓋板及び内側板の円形凸状粒と相互に嵌合して、内蓋板及び内側板等に枠フレーム上で折畳収合の機能を形成させる。
【考案の詳細な説明】
【０００１】
【考案の属する技術分野】
本考案は一種の折畳式バーベキュー炉（三）で、特に迅速な折畳収合ができ同時に携帯及び収納の便利な構造設計を指し、一般の戸外バーベキューレジャー活動に従事する時、更に実用的で便利な効果を提供する折畳式バーベキュー炉に関する。
【０００２】
【従来の技術】
現在は戸外レジャー活動が普遍的に重視されると同時に、キャンプ・旅行・バーベキュー及び戸外食事等の戸外活動では、バーベキューは既に不可欠の必須活動項目の一つになっている。日常の使用量の増加に伴い、各形式バーベキュー炉の構造設計及び機能の向上は常に日進月歩と言える。それ故、バーベキュー炉自体が迅速な折畳及び収合ができ、使用者の外出時の携帯及び収納使用を便利にすることは、今日の各形式バーベキュー炉の構造設計において普遍的に重視することである。
【０００３】
【考案が解決しようとする課題】
このことに鑑み、本考案者は改良を考え、実務経験と不断の研究改良進歩を結合して、終に一種の『折畳式バーベキュー炉（三）』を考案し、更に便利性と実用性を具えたバーベキュー炉構造を提供した。本考案の設計により以下の考案目的を達成できる。
【０００４】
本考案設計の目的は、一種の折畳式バーベキュー炉（三）の提供で、その主要なものには、台座・上枠構造・灰落箱・火床及び網枠等の部材を組合せて構成したものを含む。その中で、台座は２個の相対する外側板・外蓋板及び箱体を結合して構成し、且つ箱体の位置決め孔と外側板及び外蓋板の円形凸状粒は相互に嵌合い、その外側板及び外蓋板は箱体上に折畳収合の機能を形成できる。また上枠構造は２個の相対する内蓋板・内側板及び枠フレームを結合して構成し、内蓋板及び内側板の円形凸状粒と枠フレームの数個の位置決め孔の間での相互嵌合により、内蓋板及び内側板もまた枠フレーム上に折畳収合の機能を形成する。この設計により、同折畳式バーベキュー炉はバーベキュー活動の用途に適い、同時に折畳収合及び収納を便利にする主要目的を達成する。
【０００５】
【課題を解決するための手段】
本考案は一種の折畳式バーベキュー炉（三）に関するもので、主要なものは台座・上枠構造・灰落箱・火床及び網枠等の部材を組合せて構成したものを含む。その中で、台座は２個の相対する外側板・外蓋板及び箱体を結合して構成し、且つ台座の位置決め孔と外側板及び外蓋板の円形凸状粒の相互嵌合により、その外側板及び外蓋板は箱体上に折畳収合の機能を形成する。また上枠構造は２個の相対する内蓋板・内側板及び枠フレームを結合して構成し、内蓋板及び内側の円形凸状粒と枠フレームの数個の位置決め孔間での相互嵌合により、内蓋板及び内側板もまた枠フレーム上に折畳収合の機能を形成する。この設計により、同折畳式バーベキュー炉はバーベキュー活動の用途に適い、同時に折畳収合の目的を達成し、且つ収納及び携帯を便利にする機能を兼備し、極めて優れた実用性と便利性を具える。
【０００６】
【考案の実施の形態】
本考案の構造の特徴及び特長を明確に説明する為に、添付図を利用して以下に詳細説明する：
先ず図１は本考案の折畳式バーベキュー炉（１）の立体分解図を示す。その主要なものは、台座（１０）・上枠構造（２０）・灰落箱（３０）・火床（４０）及び網枠（５０）等の部材の組合で構成してある。図２に示すように、同台座（１０）は２個の相対する外側板（１１）・外蓋板（１２）及び箱体（１３）を結合して構成してある。その中で、外側板（１１）の本体には若干の通し孔（１１１）を排列設置する。外側板（１１）の側辺は相対応する側翼（１１２）を有する構造を形成して、それぞれ側翼（１１２）の内側表面の適当な箇所に円形凸状粒（１１３）を設置する；外蓋板（１２）の本体の表面に若干の通し孔（１２１）を排列設置する。一方外蓋板（１２）の側辺底部は相対応する凸耳（１２２）を有する構造を形成し、それぞれ凸耳（１２２）表面上に円形凸状粒（１２３）を設置する；また、箱体（１３）の４隅には、それぞれ上述の外側板（１１）及び外蓋板（１２）の円形凸状粒（１１３）・（１２３）に対応する関係位置と数量の位置決め孔（１３１）を設ける。これにより、数個の位置決め孔（１３１）自体は外側板（１１）及び外蓋板（１２）の円形凸状粒（１１３）・（１２３）と相互に嵌合して、外側板（１１）及び外蓋板（１２）に箱体（１３）上で折畳収合の機能を形成させる。
【０００７】
更に図３を参照して説明する。同上枠構造（２０）は２個の相対する内蓋板（２１）・内側板（２２）・枠フレーム（２３）を結合して構成してある。その中で、内蓋板（２１）の本体内側表面の適当な箇所に２個のストッパーブロック（２１１）及び１個の突片（２１２）を設ける。内蓋板（２１）の側辺端面には相対応する凸耳（２１３）を有する構造を形成し、それぞれ凸耳（２１３）上に円形凸状粒（２１４）を設置する；一方内側板（２２）の本体内側表面の適当な箇所に１個の突片（２２１）を設け、内側板（２２）の側辺端面に相対する凸耳（２２２）構造を形成し、それぞれ凸耳（２２２）上に円形凸状粒（２２３）を設置する；また、枠フレーム（２３）　（同枠フレームもまた適切な鉄線材或は管材で代用使用可能）の本体の適当な箇所に、それぞれ上述の内蓋板（２１）及び内側板（２２）の円形凸状粒（２１４）・（２２３）の関係位置・数量に対応して、同数量及び相互に対応する数の位置決め孔（２３１）を設置する。これにより、数個の位置決め孔（２３１）自体は内蓋板（２１）及び内側板（２２）の円形凸状粒（２１４）・（２２３）と相互に嵌合でき、内蓋板（２１）及び内側板（２２）もまた枠フレーム（２３）上に折畳収合の機能を形成できる。
【０００８】
本考案の全体構造の組成及び使用については、図１及び図４を参照して説明する。その中で、台座（１０）の外側板（１１）及び外蓋板（１２）の構造設計により、上枠構造（２０）は台座（１０）の上に直接設置でき、内蓋板（２１）及び内側板（２２）の突片（２１２）・（２２１）の構造設計により、灰落箱（３０）をその上に置くことができ、順番に火床（４０）を灰落箱（３０）の上に置き、且つ網枠（５０）自体は上枠構造（２０）の表面箇所に直接置くことができる。この設計により、同折畳式バーベキュー炉（１）は使用者に戸外レジャーバーベキュー活動従事の用途を提供できる。
【０００９】
次に順に図５・６・７・８は本考案の折畳式バーベキュー炉（１）の折畳収合時の実施例図である。使用者は折畳式バーベキュー炉（１）を収合する時は、先ず網枠（５０）・火床（４０）・灰落箱（３０）等の部材を順次取出し、台座（１０）の外蓋板（１２）及び外側板（１１）を順に箱体（１３）上に折畳む。また同上枠構造（２０）の折畳ステップは、順に内側板（２２）及び内蓋板（２１）を枠フレーム（２３）上に折畳む。この設計により、台座（１０）及び上枠構造（２０）を迅速に折畳収合でき、且つ使用者の収納及び携帯を便利にする。またその全体収合のステップ過程を相当簡単敏捷にし、使用者に効果的な外出携帯使用を提供する。
【００１０】
【考案の効果】
上に述べたことの綜合として、本考案の「折畳式バーベキュー炉（三）」は、迅速に折畳収合ができ、携帯及び収納を便利にする主要目的を効果的に達成し、一般の戸外バーベキューレジャー活動に従事する時、極めて優れた実用性と便利性を提供する。故に、本考案の設計は誠に１個の優良な考案であり、且つ本考案は前例を見ない設計で、新型特許の申請要件に符合しているので、ここに法に則り申請を提出する。
【図面の簡単な説明】
【図１】本考案の立体分解図である。
【図２】本考案の台座の立体分解図である。
【図３】本考案の上枠構造の立体分解図である。
【図４】本考案の組合断面図である。
【図５】本考案の台座折畳収合時の実施例図（一）である。
【図６】本考案の台座折畳収合時の実施例図（二）である。
【図７】本考案の上枠構造折畳収合時の実施例図（一）である。
【図８】本考案の上枠構造折畳収合時の実施例図（二）である。
【符号の説明】
（１）　　　折畳式バーベキュー炉　　　　　　　　　　　　　　　　　　　　（１０）　　　　台座
（１１）　　　外側板　　　　　　　　　　　　　　　　　　　　　　　　　　　　　　　　　　（１１１）　　　通し孔
（１１２）　　側翼　　　　　　　　　　　　　　　　　　　　　　　　　　　　　　　　　　　　（１１３）　　　円形凸状粒
（１２）　　　外蓋板　　　　　　　　　　　　　　　　　　　　　　　　　　　　　　　　　　（１２１）　　　通し孔
（１２２）　　凸耳　　　　　　　　　　　　　　　　　　　　　　　　　　　　　　　　　　　　（１２３）　　　円形凸状粒
（１３）　　　箱体　　　　　　　　　　　　　　　　　　　　　　　　　　　　　　　　　　　　（１３１）　　　位置決め孔
（２０）　　　上枠構造　　　　　　　　　　　　　　　　　　　　　　　　　　　　　　　　（２１）　　　　内蓋板
（２１１）　　ストッパーブロック　　　　　　　　　　　　　　　　　　　　　　（２２）　　　　突片
（２１３）　　凸耳　　　　　　　　　　　　　　　　　　　　　　　　　　　　　　　　　　　　（２１４）　　　円形凸状粒
（２２）　　　内側板　　　　　　　　　　　　　　　　　　　　　　　　　　　　　　　　　　（２２１）　　　突片
（２２２）　　凸耳　　　　　　　　　　　　　　　　　　　　　　　　　　　　　　　　　　　　（２２３）　　　円形凸状粒
（２３）　　　枠フレーム　　　　　　　　　　　　　　　　　　　　　　　　　　　　　　（２３１）　　　位置決め孔
（３０）　　　灰落箱　　　　　　　　　　　　　　　　　　　　　　　　　　　　　　　　　　（４０）　　　　火床
（５０）　　　網枠
【図１】
0003098524.tif 000003
【図２】
0003098524.tif 000004
【図３】
0003098524.tif 000005
【図４】
0003098524.tif 000006
【図５】
0003098524.tif 000007
【図６】
0003098524.tif 000008
【図７】
0003098524.tif 000009
【図８】
0003098524.tif 000010